(57)【特許請求の範囲】
【請求項１】
タッチパネル上の２点を略同時にタッチ操作したときに当該２点の操作を共に有効な操作として出力する出力手段と、
前記２点の出力に基づいて前記タッチパネル上のいずれの点が操作されたかを判別する判別手段と、を備え、
前記判別手段は前記２点のうち前記タッチパネルの中心からより離れた方の点を操作された点である操作点として判別することを特徴とする操作装置。
【請求項２】
前記タッチパネルにより操作する地図の操作処理を行う操作処理手段を備え、
前記操作処理手段は、前記操作点に基づき前記地図のスクロールを実行することを特徴とする請求項１に記載の操作装置。
【請求項３】
前記操作処理手段は、前記操作点を中心として前記地図のスクロールを実行することを特徴とする請求項２に記載の操作装置。
【請求項４】
前記タッチパネルにより操作する各種機能が割り当てられたボタン及び地図の操作処理を行う操作処理手段を備え、
前記操作処理手段は、前記タッチパネルを１本の指でタッチ操作した場合、前記操作点に対応する前記ボタンに割り当てられた機能を実行し、前記タッチパネルを２本の指でタッチ操作した場合、前記操作点を中心として前記地図のスクロールを実行することを特徴とする請求項１に記載の操作装置。
【発明の詳細な説明】
【技術分野】
【０００１】
本発明は、タッチパネルへのタッチ操作で操作対象を操作する操作装置に関する。
【背景技術】
【０００２】
従来、カーナビゲーション装置において、ユーザーがカーナビゲーション装置の画面を触れることにより操作するタッチパネルが多く採用されており、例えば、ユーザーがタッチパネルを触ると、その接触点の数に応じて地図の拡大や縮小を行ったり、案内音声のボリュームを調整したりするなど種々の操作を行うことができる操作装置が知られている（例えば、下記特許文献１参照）。
【先行技術文献】
【特許文献】
【０００３】
【特許文献１】特開２００６−１６２２６７号公報
【発明の概要】
【発明が解決しようとする課題】
【０００４】
しかしながら、カーナビゲーション装置においては、地図の縮尺を変更する等のカーナビゲーション装置に対して操作を行うための種々のボタンが表示中の地図と同じ画面内に表示されている場合が多い。このため、上述した従来の操作装置では、地図を操作したいにもかかわらず、誤ってボタンが操作されたり、逆にボタンを操作したいにも関わらず、誤って地図が操作されてしまうというユーザーの意図に反する操作が行われてしまう可能性がある。この場合、ユーザーの意図する操作を的確に実行できないという問題がある。
本発明は、上述した事情に鑑みてなされたものであり、ユーザーの意図する操作を的確に実行することができる操作装置を提供することを目的とする。
【課題を解決するための手段】
【０００５】
上記目的を達成するために、本発明は、タッチパネル上の２点を略同時にタッチ操作したときに当該２点の操作を共に有効な操作として出力する出力手段と、前記２点の出力に基づいて前記タッチパネル上のいずれの点が操作されたかを判別する判別手段と、を備え、前記判別手段は前記２点のうち前記タッチパネルの中心からより離れた方の点を操作された点である操作点として判別することを特徴とする操作装置。
【０００６】
この構成において、前記出力手段は前記２点の前記タッチパネル上における座標を出力し、前記判別手段は前記座標に基づき前記タッチパネル上のいずれの点が操作されたかを判別する構成としても良い。
また、前記判別手段は前記２点を結ぶ線分の中点を判別する構成としても良い。
また、前記判別手段は前記２点のうち前記タッチパネルの座標系のＸ方向においてより端部側に位置する点の座標ｘと、前記２点のうち前記タッチパネルの座標系のＹ方向においてより端部側に位置する点の座標ｙとにおける点（ｘ，ｙ）を判別する構成としても良い。
【０００７】
また、さらに、前記タッチパネルにより操作する第１操作対象と、当該第１操作対象以外の操作対象である第２操作対象の操作処理を行う操作処理手段を備え、前記操作処理手段は、前記タッチパネル上の２点を略同時に操作した場合、前記第１操作対象の操作に対する処理を不可として前記第２操作対象の操作に対する処理を実行し、前記タッチパネル上の１点を操作した場合、前記第２操作対象の操作に対する処理を不可として前記第１操作対象の操作に対する処理を実行する構成としても良い。
また、さらに、前記タッチパネルにより操作する地図の操作処理を行う操作処理手段を備え、前記操作処理手段は、前記操作点に基づき前記地図のスクロールを実行する構成としても良い。
また、前記操作処理手段は、前記操作点を中心として前記地図のスクロールを実行する構成としても良い。
また、さらに、前記タッチパネルにより操作する各種機能が割り当てられたボタン及び地図の操作処理を行う操作処理手段を備え、前記操作処理手段は、前記タッチパネルを１本の指でタッチ操作した場合、前記操作点に対応する前記ボタンに割り当てられた機能を実行し、前記タッチパネルを２本の指でタッチ操作した場合、前記操作点を中心として前記地図のスクロールを実行する構成としても良い。
【発明の効果】
【０００８】
本発明によれば、ユーザーの意図する操作を的確に実行することができるという効果を奏する。
【図面の簡単な説明】
【０００９】
【図１】本発明の第１の実施形態に係る操作装置の構成を示したブロック図である。
【図２】本発明の第１の実施形態に係る操作装置の構成を示した図である。
【図３】本発明の第１の実施形態に係る操作装置における処理の手順を示したフローチャートである。
【図４】本発明の第１の実施形態に係る操作装置において、１本の指でボタンを操作した場合の表示パネルの画像の例を示した図である。
【図５】本発明の第１の実施形態に係る操作装置において、１本の指で地図を操作した場合の表示パネルの画像の例を示した図である。
【図６】本発明の第１の実施形態に係る操作装置において、１本の指で地図上のアイコンを操作した場合の表示パネルの画像の例を示した図である。
【図７】本発明の第１の実施形態に係る操作装置において、２本の指で地図を操作した場合の画面の例を示した図である。
【図８】本発明の第１の実施形態に係る操作装置において、２本の指でボタンを操作した場合の表示パネルの画像の例を示した図である。
【図９】本発明の第１の実施形態に係る操作装置における２本の指でタッチ操作した場合の操作点の判別方法の手順を示したフローチャートである。
【図１０】本発明の第１の実施形態に係る操作装置における２本の指でタッチ操作した場合の操作点の判別方法を示した図である。
【図１１】本発明の第１の実施形態に係る操作装置をスマートフォンに適用した例を示した図である。
【図１２】２本の指の中間点を操作点とし、２本の指でタッチパネルの右下隅をタッチ操作する様子を示した図である。
【図１３】本発明の第２の実施形態に係る操作装置における２本の指でタッチ操作した場合の操作点の判別方法の手順を示したフローチャートである。
【図１４】本発明の第２の実施形態に係る操作装置における２本の指でタッチ操作した場合の操作点の判別方法を示した図である。
【図１５】本発明の第２の実施形態に係る操作装置における２本の指でタッチ操作した場合の操作点の判別方法を示した図である。
【図１６】本発明の第３の実施形態に係る操作装置における２本の指でタッチ操作した場合の操作点の判別方法の手順を示したフローチャートである。
【図１７】本発明の第３の実施形態に係る操作装置における２本の指でタッチ操作した場合の操作点の判別方法を示した図である。
【発明を実施するための形態】
【００１０】
以下、図面を参照して本発明の実施形態について説明する。
＜第１の実施形態＞
以下、本発明に係る操作装置１の第１の実施形態について説明する。
はじめに、本実施形態に係る操作装置１の構成について説明する。
図２は、本実施形態に係る操作装置１の外観構成を示した図である。図２に示すように、本実施形態に係る操作装置１は、車両１００に搭載されるカーナビゲーション装置である。操作装置１は、車両１００の前部座席に搭乗するユーザーが操作しやすいようにダッシュボード１０１の略中央で、運転席と助手席との間に設置される。
【００１１】
操作装置１は、ダッシュボード１０１から車室内に露出し、略矩形に形成されたユーザーが指で触れて操作（以下、タッチ操作という）が可能なタッチパネル１１を備えている。タッチパネル１１は、表示パネル２１の上に重ねて設置されている。表示パネル２１は、枠体としてのフェイスパネル１０２に嵌め込まれている。また、ダッシュボード１０１の内部には、不図示の装置本体が設置されている。
【００１２】
図１は、本実施形態に係る操作装置１の構成を示したブロック図である。図１に示すように、操作装置１は、入力部１０と、表示部２０と、制御部３０とを備えている。入力部１０と、表示部２０と、制御部３０は、バス４０により接続されており、相互に信号のやり取りを行うことが可能となっている。入力部１０は、タッチ操作が可能なタッチパネル１１を備えている。このため、ユーザーは、タッチパネル１１へのタッチ操作で操作対象の操作を行うことができる。
【００１３】
本実施形態においては、タッチパネル１１は、同時に複数のタッチ操作された位置（以下、タッチ位置という）をタッチパネル１１上の平面座標における点（以下、検出点という）として検出することができるマルチタッチスクリーンである。このため、ユーザーは、タッチパネル１１において一本の指でタッチ操作を行ったり、２本以上の指でタッチ操作を行ったりすることができる。タッチパネル１１としては、抵抗膜方式、静電容量方式、電磁誘導方式、超音波表面弾性波方式等の様々な方式が一般に知られているが、本実施形態におけるタッチパネル１１においては、タッチ位置を検出することが可能であればどのような方式を適用してもよい。
【００１４】
表示部２０は、画像を表示する表示パネル２１を備えている。表示パネル２１は、液晶表示パネル、プラズマディスプレイパネル（Ｐｌａｓｍａ  Ｄｉｓｐｌａｙ  Ｐａｎｅｌ：ＰＤＰ）、又は、有機発光ダイオード（Ｏｒｇａｎｉｃ  Ｌｉｇｈｔ−Ｅｍｉｔｔｉｎｇ  Ｄｉｏｄｅ：ＯＬＥＤ）、有機エレクトロルミネッセンス（Ｏｒｇａｎｉｃ  Ｅｌｅｃｔｒｏ−Ｌｕｍｉｎｅｓｃｅｎｃｅ：ＯＥＬ）等と呼ばれる有機ＥＬ表示パネルにより構成されている。
【００１５】
表示パネル２１には、後述する制御部３０の制御に基づき画像が表示される。表示パネル２１の上には、タッチパネル１１が重ねて配置され、表示パネル２１に表示された各種の操作ボタンに対応する位置や、表示パネル２１に表示された各種の図画を指先でタッチ操作することにより、制御部３０に対して各種の指示を入力することができる。上述した操作ボタンは、例えば、地図の縮尺変更ボタンや地図の北上固定表示ボタン等の操作装置１に対して各種の処理を実行させるためのボタンであり、また、上述した図画は、例えば、地図や画像や各種の情報表示等である。
【００１６】
制御部３０は、操作装置１の各部を中枢的に制御するものであり、演算実行部としての中央処理装置（Ｃｅｎｔｒａｌ  Ｐｒｏｃｅｓｓｉｎｇ  Ｕｎｉｔ：ＣＰＵ）や、このＣＰＵに実行される基本制御プログラムをコンピューターに読み取り可能な形態で不揮発的に記憶するリードオンリーメモリー（Ｒｅａｄ  Ｏｎｌｙ  Ｍｅｍｏｒｙ：ＲＯＭ）や、ＣＰＵに実行される各種のプログラムやこれらのプログラムに係るデータを一時的に記憶するランダムアクセスメモリー（Ｒａｎｄｏｍ  Ａｃｃｅｓｓ  Ｍｅｍｏｒｙ：ＲＡＭ）や、その他の周辺回路等により構成されている。
【００１７】
制御部３０は、画像処理部３１と、操作検出部３２と、操作処理部３３とを備えている。画像処理部３１は、表示パネル２１に表示する画像信号を生成して表示部２０へ出力し、表示部２０は入力した画像信号に基づき表示パネル２１に画像を表示する。操作検出部３２は、ユーザーによるタッチパネル１１へのタッチ操作を検出して検出信号を操作処理部３３へ出力する。
【００１８】
操作処理部３３は、検出信号からユーザーによるタッチパネル１１へのタッチ操作が１本の指による操作、すなわち検出点が１点であるか、又は２本の指による操作、すなわち検出点が２点であるかを判断し、１本の指による操作の場合には図画（第２操作対象）の操作に対する処理を不可として操作ボタン（第１操作対象）の操作に対する処理のみを行えることとし、２本の指による操作の場合には操作ボタンの操作に対する処理を不可として図画の操作に対する処理のみを行えることとして、画像処理部３１へ画像を生成させるための信号を出力する。言い換えれば、操作する指の本数により操作可能な操作対象を変化させているということもできる。
【００１９】
本実施形態においては、１本の指による操作の場合には図画の操作に対する処理を不可として操作ボタンの操作に対する処理のみを行えることとし、２本の指による操作の場合には操作ボタンの操作に対する処理を不可として図画の操作に対する処理のみを行えることとしているが、これとは逆に、１本の指による操作の場合には操作ボタンの操作に対する処理を不可として図画の操作に対する処理のみを行えることとし、２本の指による操作の場合には図画の操作に対する処理を不可として操作ボタンの操作に対する処理のみを行えることとしてもよい。
【００２０】
そして、画像処理部３１は、操作処理部３３からの信号を入力したとき、この信号に基づき表示パネル２１に表示する画像を生成して画像信号を表示部２０へ出力し、表示部２０は入力した画像信号に基づき表示パネル２１に画像を表示する。
【００２１】
次に、本実施形態に係る操作装置１の動作について説明する。
図３は、本実施形態に係る操作装置１における処理の手順を示したフローチャートである。図３に示すように、はじめに、ステップＳ１において、操作検出部３２は、タッチパネル１１のタッチ位置に基づく入力部１０からの出力に基づき検出点を検出する。次に、ステップＳ２において、操作処理部３３は、検出点が１点であるか判断し、検出点が１点である場合（ステップＳ２：ＹＥＳ）、図画の操作に対する処理を不可とし、操作ボタンの操作に対する処理を実行する（ステップＳ３）。また、操作処理部３３は、検出点が２点であるか判断し（ステップＳ４）、検出点が２点である場合（ステップＳ４：ＹＥＳ）、操作ボタンの操作に対する処理を不可とし、図画の操作に対する処理を実行する（ステップＳ５）。
【００２２】
このように、本実施形態に係る操作装置１においては、タッチ操作する指の本数に応じてタッチパネル１１内の特定部分の操作を不可としている。例えば、１本の指でタッチ操作した場合には地図の操作を不可とし、２本の指でタッチ操作した場合にはボタンの操作を不可とする。以下に操作装置１における操作の具体例について説明する。
【００２３】
はじめに、本実施形態に係る操作装置１におけるボタン５０ａ，５０ｂの操作について説明する。
図４は、本実施形態に係る操作装置１において、１本の指Ｓでボタン５０ａ，５０ｂをタッチ操作した場合の表示パネル２１の画像の例を示した図であって、図４（ａ）は操作前の表示パネル２１の画像の例を示した図であり、図４（ｂ）は操作後の表示パネル２１の画像の例を示した図である。
【００２４】
図４（ａ）に示すように、ユーザーがボタン５０ｂを操作したいと考え、１本の指Ｓでボタン５０ｂをタッチ操作した場合には、図４（ｂ）に示すように、操作装置１は、１本の指Ｓによるタッチ操作であるため、ボタン５０ｂの操作を実行する。本実施形態においては、ボタン５０ａ，５０ｂとして地図６０の縮尺を変更するボタン５０ａ，５０ｂを例として説明するが、これ以外の機能を果たすボタン５０ａ，５０ｂに適用することとしてもよい。
【００２５】
図５は、本実施形態に係る操作装置１において、１本の指Ｓで地図６０をタッチ操作した場合の表示パネル２１の画像の例を示した図であって、図５（ａ）は操作前の表示パネル２１の画像の例を示した図であり、図５（ｂ）は操作後の表示パネル２１の画像の例を示した図である。図５（ａ）に示すように、ユーザーがボタン５０ｂを操作したいと考え、１本の指Ｓで地図６０上をタッチ操作した場合には、図５（ｂ）に示すように、操作装置１は、１本の指Ｓによるタッチ操作であるため、地図６０の操作を不可とし、地図６０は操作されない。すなわち、地図６０は動かない。
【００２６】
また、上述したボタン５０ａ，５０ｂの操作と同様に、地図６０上の特定の地点を示すアイコン５１も１本の指Ｓで操作できるようにすることもできる。
図６は、本実施形態に係る操作装置１において、１本の指Ｓで地図６０上のアイコン５１をタッチ操作した場合の表示パネル２１の画像の例を示した図であって、図６（ａ）は操作前の表示パネル２１の画像の例を示した図であり、図６（ｂ）は操作後の表示パネル２１の画像の例を示した図である。
【００２７】
図６（ａ）に示すように、ユーザーが地図６０上のアイコン５１を操作したいと考え、１本の指Ｓでアイコン５１をタッチ操作した場合には、図６（ｂ）に示すように、操作装置１は、１本の指Ｓによるタッチ操作であるため、地図６０上のアイコン５１の操作を実行する。このとき、１本の指Ｓによるタッチ操作であるため、地図６０の操作は不可となっており、地図６０は操作されない。すなわち、地図６０は動かない。本実施形態においては、地図６０上のアイコン５１として駐車場を示すアイコン５１を例として説明するが、これ以外の場所等を示すアイコン５１に適用することとしてもよい。
【００２８】
このように、本実施形態に係る操作装置１においては、ユーザーがボタン５０ａ，５０ｂを操作したいと考えているときや、地図６０上の特定の地点を示すアイコン５１を操作したいと考えているときには、地図６０の操作は不可となっているため、地図６０は操作されない。したがって、ユーザーの意図に反する操作が行われることを防止することができる。
【００２９】
次に、本実施形態に係る操作装置１における地図６０の操作について説明する。
図７は、本実施形態に係る操作装置１において、２本の指Ｄで地図６０をタッチ操作した場合の表示パネル２１の画像の例を示した図であって、図７（ａ）は操作前の表示パネル２１の画像の例を示した図であり、図７（ｂ）は操作後の表示パネル２１の画像の例を示した図である。図７（ａ）に示すように、ユーザーが地図６０を操作したいと考え、２本の指Ｄで地図６０上をタッチ操作した場合には、図７（ｂ）に示すように、操作装置１は、２本の指Ｄによるタッチ操作であるため、地図６０の操作を実行する。
【００３０】
図８は、本実施形態に係る操作装置１において、２本の指Ｄでボタン５０ａ，５０ｂをタッチ操作した場合の表示パネル２１の画像の例を示した図であって、図８（ａ）は操作前の表示パネル２１の画像の例を示した図であり、図８（ｂ）は操作後の表示パネル２１の画像の例を示した図である。図８（ａ）に示すように、ユーザーが地図６０を操作したいと考え、２本の指Ｄでボタン５０ｂをタッチ操作した場合には、図８（ｂ）に示すように、操作装置１は、２本の指Ｄによるタッチ操作であるため、地図６０の操作を実行する。このとき、２本の指Ｄによるタッチ操作であるため、操作装置１は、ボタン５０ｂの操作を不可とし、ボタン５０ｂは操作されない。
【００３１】
このように、本実施形態に係る操作装置１においては、ユーザーが地図６０を操作したいと考えているときには、ボタン５０ａ，５０ｂの操作は不可となっているため、ボタン５０ａ，５０ｂは操作されない。したがって、ユーザーの意図に反する操作が行われることを防止することができるため、ユーザーの意図する操作を的確に実行することができる。
【００３２】
ところで、本実施形態に係る操作装置１においては、タッチパネル１１を２本の指でタッチ操作した場合、検出点が２点発生することとなる。本実施形態においては、操作装置１は、入力部１０にタッチパネル１１上の２点を略同時、すなわちタッチパネル１１上の２点を所定の時間内にタッチ操作したときに、この２点のタッチ操作を共に有効な操作として検出点を２点出力する出力部１２と、操作処理部３３に出力部１２からの出力に基づいてタッチパネル１１上のいずれの点が操作されたかを判別する判別部３３ａとを備えている。上述した２本の指による操作と判定するための所定の時間は、タッチパネル１１における一連の操作に遅延が生じない程度の時間内に設定し、ユーザーがタッチパネル１１を操作した際に反応に遅れが生じる等の違和感を与えないようにする。そして、操作装置１は、出力部１２から検出点が２点出力された場合には、判別部３３ａにおいてタッチパネル１１上のある１点を操作点として判別する。これにより、ユーザーは、タッチパネル１１上のある１点を操作点としてタッチ操作することができるため、ユーザーの意図に沿った自然な操作を実現することができる。
【００３３】
本実施形態に係る操作装置１においては、一例として、２点の検出点を結ぶ線分の中点、すなわち２点の検出点の中間点を操作点として操作を行う。
図９は、本実施形態に係る操作装置１における２本の指Ｄでタッチ操作した場合の操作点の判別方法の手順を示したフローチャートである。
図９に示すように、はじめに、ステップＳ１０において、出力部１２は、タッチパネル１１を２本の指でタッチ操作した場合、１本目の指Ｄ1の検出点を第１検出点とし、２本目の指Ｄ2の検出点を第２検出点として検出点を２点出力する。
次に、ステップＳ１１において、判別部３３ａは、出力部１２の出力に基づき、第１検出点と第２検出点の中間点を操作点と判別する。
【００３４】
図１０は、本実施形態に係る操作装置１における２本の指Ｄで操作した場合の操作点の判別方法を示した図であって、図１０（ａ）は操作点の判別方法を示した図表であり、図１０（ｂ）は２本の指Ｄで操作した場合の操作点の例を示した図である。
図１０（ａ）に示すように、判別部３３ａは、表示パネル２１の左下隅を原点Ｏとした２次元のｘｙ座標面において、第１検出点Ｐ1の座標を（ｘ1，ｙ1）とし、第２検出点Ｐ2の座標を（ｘ2，ｙ2）として、操作点Ｐcの座標（ｘc，ｙc）を下記式（１）により求める。
【数１】
0005805473.tif 000002
【００３５】
したがって、図１０（ｂ）に示すように、ユーザーは２本の指Ｄの中間点を操作点Ｐcとして操作を行うことができる。本実施形態に係る操作点の判別方法によれば、例えば、地図６０上のある位置を短押し又は長押ししたときに、表示パネル２１に表示している地図６０の中心をタッチ操作した点に移動させる操作や、ある点を押しながら軽く払うように操作したときに地図６０をスクロールさせる操作において、ユーザーは２本の指Ｄの中間点を操作点Ｐcとして操作を行うことができるため、ユーザーの意図に沿った自然な操作を実現することができる。
【００３６】
図１１は、本実施形態に係る操作装置１をスマートフォン７０に適用した例を示した図である。図１１に示すように、スマートフォン７０には機械的なボタンであるハードキー７１が一つしか備えられていないものがある。このため、文字入力等は表示パネル２１に表示されたソフトキー（図示省略）をタッチ操作することにより行われる。しかし、スマートフォン７０の表示パネル２１は面積が小さいため表示されるソフトキーも小さく、２本の指Ｄでソフトキーをタッチ操作した場合、意図しない他のソフトキーが操作されてしまう可能性がある。しかし、本実施形態に係る操作装置１のように、２本の指Ｄでタッチパネル１１を操作したときには、２本の指Ｄの中間点を操作点Ｐcとすることにより、意図しない他のソフトキーが操作されてしまうことを回避することができるため、ユーザーの意図に沿った自然な操作を実現することができる。したがって、本実施形態に係る操作装置１のように、２本の指Ｄの中間点を操作点Ｐcとすることは、表示パネル２１は面積が小さいスマートフォン７０等において特に有用である。
【００３７】
＜第２の実施形態＞
以下、本発明に係る操作装置の第２の実施形態について説明する。
第１実施形態においては、２本の指の中間点を操作点として操作を行っている。このため、図１２に示すように、右ハンドル車の運転席側からユーザーが右手の２本の指Ｄで表示パネル２１（すなわち、タッチパネル１１）の右下隅の部分のタッチ操作を行う場合、手Ｈを矢印Ｔで示すように捻り、肘Ｅを矢印Ｒで示すように挙げた状態で操作を行うこととなるため、操作が困難である。
このため、本実施形態に係る操作装置１においては、２本の指Ｄでタッチ操作した場合、２点の検出点のうち表示パネル２１（すなわち、タッチパネル１１）のより端部側に位置する検出点を操作点として操作を行うこととした。なお、本実施形態に係る操作装置１の構成は、第１の実施形態に係る操作装置１の構成と同様である。
【００３８】
図１３は、本実施形態に係る操作装置１における２本の指Ｄでタッチ操作した場合の操作点の判別方法の手順を示したフローチャートである。
図１３に示すように、はじめに、ステップＳ２０において、出力部１２は、タッチパネル１１を２本の指でタッチ操作した場合、１本目の指Ｄ1の検出点を第１検出点とし、２本目の指Ｄ2の検出点を第２検出点として検出点を２点出力する。
次に、ステップＳ２１において、判別部３３ａは、出力部１２の出力に基づき、第１検出点が第２検出点より表示パネル２１（すなわち、タッチパネル１１）の端部側に位置するか判断し、第１検出点が第２検出点より端部側に位置する場合（ステップＳ２１：ＹＥＳ）、第１検出点を操作点と判別する（ステップＳ２２）。また、判別部３３ａは、第１検出点が第２検出点より端部側に位置していない場合（ステップＳ２１：ＮＯ）、第２検出点を操作点と判別する（ステップＳ２３）。
【００３９】
図１４は、本実施形態に係る操作装置１における２本の指Ｄでタッチ操作した場合の操作点の判別方法を示した図であって、図１４（ａ）は操作点の判別方法を示した図であり、図１４（ｂ）は親指Ｄ1と人差し指Ｄ2の２本の指Ｄでタッチ操作し、２本の指Ｄのうち人差し指Ｄ2でタッチパネル１１の右下隅をタッチ操作した場合の操作点の例を示した図である。
図１４（ａ）に示すように、判別部３３ａは、表示パネル２１の左下隅を原点Ｏとした２次元のｘｙ座標面において、第１検出点Ｐ1の座標を（ｘ1，ｙ1）とし、第２検出点Ｐ2の座標を（ｘ2，ｙ2）とし、操作点Ｐcの座標を（ｘc，ｙc）とすると、下記式（２）より、ａ≧ｂの場合、第１検出点Ｐ1の座標を操作点Ｐcの座標として判別し、ａ＜ｂの場合、第２検出点Ｐ2の座標を操作点Ｐcの座標として判別する。
【数２】
0005805473.tif 000003
ここで、ｗは表示パネル２１のｘ方向の長さ（すなわち、表示パネル２１及びタッチパネル１１の幅）を意味し、ｈは表示パネル２１のｙ方向の長さ（すなわち、表示パネル２１及びタッチパネル１１の高さ）を意味する。図１４（ａ）においては、ａ＜ｂの場合を例として示している。
【００４０】
したがって、図１４（ｂ）に示すように、ユーザーは親指Ｄ1を支点として、２点の検出点のうち表示パネル２１（すなわち、タッチパネル１１）の中心からより離れた人差し指Ｄ2側の検出点、すなわちより端部側に位置する検出点を操作点Ｐcとして操作を行うことができる。
このため、例えば、地図６０上のある位置を短押し又は長押ししたときに、表示パネル２１に表示している地図６０の中心をタッチ位置に移動させるスクロール操作において、特に、右ハンドル車の運転席側からユーザーが右手で表示パネル２１（すなわち、タッチパネル１１）の右下隅の部分を操作することを容易にすることができる。
【００４１】
図１５は、本実施形態に係る操作装置１における２本の指Ｄでタッチ操作した場合の操作点の判別方法を示した図であって、図１５（ａ）は操作点の判別方法を示した図であり、図１５（ｂ）は親指Ｄ1と人差し指Ｄ2の２本の指Ｄでタッチ操作し、２本の指Ｄのうち親指Ｄ1でタッチパネル１１の左下隅をタッチ操作した場合の操作点の例を示した図である。
図１５（ａ）に示すように、図１４において説明した判別方法と同様の方法で操作点Ｐｃを判別する。したがって、図１５（ｂ）に示すように、ユーザーは人差し指Ｄ2を支点として、２点の検出点のうち表示パネル２１（すなわち、タッチパネル１１）の中心からより離れた親指Ｄ1側の検出点、すなわちより端部側に位置する検出点を操作点Ｐcとして操作を行うことができる。
このため、例えば、地図６０上のある位置を短押し又は長押ししたときに、表示パネル２１に表示している地図６０の中心をタッチ位置に移動させるスクロール操作において、右ハンドル車の運転席側からユーザーが右手で表示パネル２１（すなわち、タッチパネル１１）の左下隅の部分を操作することを容易にすることができる。
したがって、本実施形態に係る操作装置１のように、２本の指Ｄでタッチ操作した場合、２点の検出点のうち表示パネル２１（すなわち、タッチパネル１１）のより端部側に位置する検出点を操作点Ｐcとすることは、操作装置１を手に持って操作出来ないようなカーナビゲーション装置等において特に有用である。
【００４２】
＜第３の実施形態＞
以下、本発明に係る操作装置の第３の実施形態について説明する。
本実施形態に係る操作装置１の構成は、第１の実施形態に係る操作装置１の構成と同様であるが、本実施形態に係る操作装置１においては、２本の指Ｄでタッチ操作した場合、２点の検出点のうち、表示パネル２１（すなわち、タッチパネル１１）のＸ方向において、より端部側に位置する点の座標ｘと、２点の検出点のうち表示パネル２１（すなわち、タッチパネル１１）のＹ方向において、より端部側に位置する点の座標ｙとにおける点（ｘ，ｙ）を操作点として操作を行うこととした。
【００４３】
図１６は、本実施形態に係る操作装置１における２本の指Ｄでタッチ操作した場合の操作点の判別方法の手順を示したフローチャートである。
図１６に示すように、はじめに、ステップＳ３０において、出力部１２は、タッチパネル１１を２本の指でタッチ操作した場合、１本目の指Ｄ1の検出点を第１検出点とし、２本目の指Ｄ2の検出点を第２検出点として検出点を２点出力する。
【００４４】
次に、ステップＳ３１において、判別部３３ａは、出力部１２の出力に基づき、Ｘ方向において第１検出点が第２検出点より表示パネル２１（すなわち、タッチパネル１１）の端部側に位置するか判断し、第１検出点が第２検出点より端部側に位置する場合（ステップＳ３１：ＹＥＳ）、第１検出点の座標ｘを操作点の座標ｘと判別する（ステップＳ３２）。また、判別部３３ａは、第１検出点が第２検出点より端部側に位置していない場合（ステップＳ３１：ＮＯ）、第２検出点の座標ｘを操作点の座標ｘと判別する（ステップＳ３３）。
【００４５】
次に、ステップＳ３４において、判別部３３ａは、出力部１２の出力に基づき、Ｙ方向において第１検出点が第２検出点より表示パネル２１（すなわち、タッチパネル１１）の端部側に位置するか判断し、第１検出点が第２検出点より端部側に位置する場合（ステップＳ３４：ＹＥＳ）、第１検出点の座標ｙを操作点の座標ｙと判別する（ステップＳ３２）。また、判別部３３ａは、第１検出点が第２検出点より端部側に位置していない場合（ステップＳ３４：ＮＯ）、第２検出点の座標ｙを操作点の座標ｙと判別する（ステップＳ３６）。
【００４６】
図１７は、本実施形態に係る操作装置１における２本の指Ｄでタッチ操作した場合の操作点の判別方法を示した図であって、図１７（ａ）は操作点の判別方法を示した図であり、図１７（ｂ）は２本の指Ｄで操作した場合の操作点の例を示した図である。図１７（ａ）に示すように、判別部３３ａは、表示パネル２１の左下隅を原点Ｏとした２次元のｘｙ座標面において、第１検出点Ｐ1の座標を（ｘ1，ｙ1）とし、第２検出点Ｐ2の座標を（ｘ2，ｙ2）とし、操作点Ｐcの座標を（ｘc，ｙc）とすると、下記式（３）より、ｘα≧ｘβの場合、第１検出点Ｐ1の座標におけるｘ1を操作点Ｐcの座標におけるｘcとして判別し、ｘα＜ｘβの場合、第２検出点Ｐ2の座標におけるｘ2を操作点Ｐcの座標におけるｘcとして判別する。
【数３】
0005805473.tif 000004
ここで、ｗは表示パネル２１のｘ方向の長さ（すなわち、表示パネル２１及びタッチパネル１１の幅）を意味し、ｈは表示パネル２１のｙ方向の長さ（すなわち、表示パネル２１及びタッチパネル１１の高さ）を意味する。
【００４７】
また、判別部３３ａは、下記式（４）より、ｙα≧ｙβの場合、第１検出点Ｐ1の座標におけるｙ1を操作点Ｐcの座標におけるｙcとして判別し、ｙα＜ｙβの場合、第２検出点Ｐ2の座標におけるｙ2を操作点Ｐcの座標におけるｙcとして判別する。
【数４】
0005805473.tif 000005
ここで、ｗは表示パネル２１のｘ方向の長さ（すなわち、表示パネル２１及びタッチパネル１１の幅）を意味し、ｈは表示パネル２１のｙ方向の長さ（すなわち、表示パネル２１及びタッチパネル１１の高さ）を意味する。図１７（ａ）においては、Ｐc（ｘc，ｙc）＝（ｘ2，ｙ1）の場合を例として示している。
【００４８】
したがって、図１７（ｂ）に示すように、ユーザーは２点の検出点よりも表示パネル２１の中心から離れた点、すなわちより隅側の点を操作点Ｐcとして操作を行うことができる。このため、例えば、地図６０上のある位置を短押し又は長押ししたときに、表示パネル２１に表示している地図６０の中心をタッチ位置に移動させる操作において、２本の指Ｄでは操作しにくい表示パネル２１（すなわち、タッチパネル１１）の隅の部分における操作を容易にすることができる。本実施形態における操作点の判別方法では、２本の指Ｄで押していない点が操作点と設定される場合があり、ユーザーによっては不自然と感じる場合があると考えられるため、このような場合には、第１，２の実施形態における操作点の判別方法と切り替えられるようにすることで、ユーザーにとって自然な操作を行えるようにすることも可能である。
【００４９】
なお、上述した実施形態においては、操作する指の本数が１本であるか、又は２本であるかを検出しているが、これ以外にも操作する指の本数が３本以上であることを検出してある操作対象の操作を不可としつつ、他の操作対象の操作のみを行えるようにしてもよい。また、指以外のもの、例えば、タッチペン等により操作を行う場合であっても適用することが可能である。
【００５０】
また、地図６０のスクロール操作は、操作点Ｐcを地図６０の中心とする操作以外にも、表示パネル２１（すなわち、タッチパネル１１）の中心とタッチパネル１１上のある点に位置する操作点Ｐcとを結ぶ線分上において地図６０を所定量移動させる操作や、画面中央付近に表示される指し示す方向に地図６０をスクロールさせるための矢印をタッチ操作することにより地図６０を所定量移動させる操作など種々の操作方法を適用することが可能である。
【００５１】
また、操作装置１として、車両１００に搭載されるカーナビゲーション装置を例として説明したが、これ以外にも、タッチ操作により操作対象を操作することができるタッチパネル１１を備える機器に広く適用することができ、例えば、タッチパネル１１を備える携帯電話機、スマートフォン、パーソナルコンピューター又は携帯ゲーム機等に適用することが可能である。
【符号の説明】
【００５２】
１  操作装置
１０  入力部
１１  タッチパネル
１２  出力部
２０  表示部
２１  表示パネル
３０  制御部
３１  画像処理部
３２  操作検出部
３３  操作処理部
３３ａ  判別部
４０    バス
５０ａ，５０ｂ  ボタン
５１  アイコン
６０  地図
７０  スマートフォン
７１  ハードキー
１００  車両
１０１  ダッシュボード
１０２  フェイスパネル
Ｓ  １本の指
Ｄ  ２本の指
Ｈ  手
Ｅ  肘
【図１】
0005805473.tif 000006
【図２】
0005805473.tif 000007
【図３】
0005805473.tif 000008
【図４】
0005805473.tif 000009
【図５】
0005805473.tif 000010
【図６】
0005805473.tif 000011
【図７】
0005805473.tif 000012
【図８】
0005805473.tif 000013
【図９】
0005805473.tif 000014
【図１０】
0005805473.tif 000015
【図１１】
0005805473.tif 000016
【図１２】
0005805473.tif 000017
【図１３】
0005805473.tif 000018
【図１４】
0005805473.tif 000019
【図１５】
0005805473.tif 000020
【図１６】
0005805473.tif 000021
【図１７】
0005805473.tif 000022